(57)【要約】【課題】面状照明器具において、手元を照明する際に手等の影が被照明面に映り難くし、かつ照明する作業の邪魔となり難くする。【解決手段】面状照明器具１は、面状光源２と、面状光源２の背面下端２２に設けられ、面状光源２を俯角方向に回動自在に支持する支持部材３と、支持部材３に設けられ、器具取付対象の上端に引っ掛けられる引っ掛け部４とを備える。面状光源２の発光面２１の水平方向の長さは略６００ｍｍ以上であり、人間の平均的な肩幅以上であるので、手元を照明する際には、照明対象から見た発光面の立体角を大きくすることができ、従って、大きい立体角の下で照明対象を照明することができる。このため、手等の影が被照明面に映り難い。また、器具取付対象の上端に引っ掛け部４を引っ掛けるだけで、器具を固定することができるので、従来とは異なり、器具を固定するスタンドの基盤が場所を取ることはなく、従って、照明する作業の邪魔となり難い。【選択図】図１
2009266579.tif 000002
【特許請求の範囲】
【請求項１】
面状光源を備えた面状照明器具において、
前記面状光源の背面下端に設けられ、該面状光源を俯角方向に回動自在に支持する支持部材と、
前記支持部材に設けられ、器具取付対象の上端に引っ掛けられる引っ掛け部と、を備え、
前記面状光源の発光面の水平方向の長さは略６００ｍｍ以上であることを特徴とする面状照明器具。
【請求項２】
前記面状光源の両側縁部に少なくとも１つずつ、側縁部が回動自在に連結された別の面状光源をさらに備えることを特徴とする請求項１に記載の面状照明器具。
【請求項３】
前記面状光源の各々は人検知手段を備え、該人検知手段が人を検知しないとき、自動的に消灯又は減光する点灯制御機能を有することを特徴とする請求項２に記載の面状照明器具。
【請求項４】
前記面状光源はカラー有機ＥＬ、又はカラーＬＥＤ及び該カラーＬＥＤによる出射光を導いて面発光する導光板で構成され、
現在時刻を計測するタイマをさらに備え、
前記タイマにより計測される現在時刻に応じて、前記面状光源による照明光の光色又は照度を変化させることを特徴とする請求項１乃至請求項３のいずれか一項に記載の面状照明器具。
【発明の詳細な説明】
【技術分野】
【０００１】
本発明は、面状光源を備えた面状照明器具に関する。
【背景技術】
【０００２】
従来から、大画面薄型表示装置を吊り下げるスタンドが知られている（例えば、特許文献１参照）。このスタンドは、床面に設置される基盤と、その基盤に立設された２本の支柱とを備える。２本の支柱の各々は、上部が前方に折り曲げられており、その先端に、大画面薄型表示装置の上部係止具に係止して吊下する吊具を有し、下部に、上記表示装置の下部係止具を後方に引っ張って連結固定する連結体を有する。
【０００３】
ところで、面状照明器具の発光面は棒状又は点状光源等のそれに比べて広い。しかしながら、一般に、その発光面の水平方向の長さはそれほど長くないので、机上での作業時等に手元を照明する際には、照明対象から見て発光面の立体角が小さく、手等の影が被照明面に映ることがあった。また、面状光源を、特許文献１に記載されたようなスタンドに取り付けて設置する場合、スタンドの基盤が場所を取り、作業の邪魔となることがあった。
【特許文献１】特開２０００−２１６５５３号公報
【発明の開示】
【発明が解決しようとする課題】
【０００４】
本発明は、上記の従来の問題を解決するためになされたものであり、手元を照明する際に手等の影が被照明面に映り難く、照明する作業の邪魔となり難い面状照明器具を提供することを目的とする。
【課題を解決するための手段】
【０００５】
上記目的を達成するために請求項１の発明は、面状光源を備えた面状照明器具において、前記面状光源の背面下端に設けられ、該面状光源を俯角方向に回動自在に支持する支持部材と、前記支持部材に設けられ、器具取付対象の上端に引っ掛けられる引っ掛け部と、を備え、前記面状光源の発光面の水平方向の長さは略６００ｍｍ以上であるものである。
【０００６】
請求項２の発明は、請求項１に記載の面状照明器具において、前記面状光源の両側縁部に少なくとも１つずつ、側縁部が回動自在に連結された別の面状光源をさらに備えるものである。
【０００７】
請求項３の発明は、請求項２に記載の面状照明器具において、前記面状光源の各々は人検知手段を備え、該人検知手段が人を検知しないとき、自動的に消灯又は減光する点灯制御機能を有するものである。
【０００８】
請求項４の発明は、請求項１乃至請求項３のいずれか一項に記載の面状照明器具において、前記面状光源はカラー有機ＥＬ又はカラーＬＥＤパネルであり、現在時刻を計測するタイマをさらに備え、前記タイマにより計測される現在時刻に応じて、前記面状光源による照明光の光色又は照度を変化させるものである。
【発明の効果】
【０００９】
請求項１の発明によれば、面状光源の発光面の水平方向の長さは、人間の平均的な肩幅以上であるので、手元を照明する際に、照明対象から見た発光面の立体角を大きくすることができ、従って、その大きい立体角の下で照明対象を照明することができる。このため、手等の影が被照明面に映り難い。
また、器具取付対象の上端に引っ掛け部を引っ掛けるだけで、器具を固定することができるので、従来とは異なり、器具を固定するスタンドの基盤が場所を取ることはなく、従って、照明する作業の邪魔となり難い。
【００１０】
請求項２の発明によれば、請求項１の発明と比べて面状光源の両端に別の面状光源が連結されて発光面が横に広がるので、手元を照明する際に、照明対象から見た発光面の立体角をより大きくすることができる。また、両端の面状光源を回動させてそれらの向きを内向きにすることで、上述の立体角をさらに大きくすることができる。従って、より大きい立体角の下で照明対象を照明することができる。このため、手等の影が被照明面により映り難い。
【００１１】
請求項３の発明によれば、人が面状光源の近傍に居ないときには消灯又は減光することができるので、省エネルギ化を図ることができる。
【００１２】
請求項４の発明によれば、時刻に応じて照明光の光色又は照度を変化させることができるので、人間の生成リズムに合わせて、照明により覚醒刺激を与えたり、覚醒刺激を与えることなく照明して快適な睡眠の妨げとならないようにしたりできる。
【発明を実施するための最良の形態】
【００１３】
以下、本発明の各種実施形態に係る面状照明器具について図面を参照して説明する。
（第１の実施形態）
図１（ａ）〜（ｃ）は、本実施形態に係る面状照明器具を示す。面状照明器具１は、面状光源２と、面状光源２を俯角方向に回動自在に支持する支持部材３と、支持部材３に設けられ、器具取付対象の上端に引っ掛けられる引っ掛け部４とを備える。面状光源２の発光面２１の水平方向の長さＬ１は略６００ｍｍ以上である。支持部材３は面状光源２の背面下端２２に設けられる。
【００１４】
面状光源２は、カラー有機ＥＬパネル、カラー無機ＥＬパネル、又はカラーＬＥＤとそのカラーＬＥＤによる出射光を導いて面発光する導光板との組み合わせ、若しくは冷陰極蛍光灯を有する直下式又はエッジライト式面光源ユニット等で構成される。面状光源２は横長形状であり、横の長さは縦の長さの例えば略３倍以上である。面状光源２の発光面２１からは位置に拘らず略均一な量の光が出射されることが望ましい。
【００１５】
支持部材３は、略鉛直方向に延びた、例えば２本の棒状部材で構成され、その下端部３１は、面状光源２が前傾方向に回動自在となるように背面下端２２と連結されている。支持部材３の材料は樹脂又は金属等である。
【００１６】
引っ掛け部４は、支持部材３の頂部３２に設けられている。引っ掛け部４は、支持部材３の頂部３２から略水平方向で、かつ面状光源２の後方に延設され、面状光源２の点灯制御回路が収納される回路収納部４１と、回路収納部４１の先端から下方に延設され、支持部材３との間で器具取付対象の上端部を挟む板状の挟み部材４２とを有する。挟み部材４２の内面下端には滑り止め部材４４が取り付けられている。
【００１７】
回路収納部４１は、支持部材３と挟み部材４２との間の幅を調整可能な幅調整機構４３を有している。幅調整機構４３は、例えば、回路収納部４１から進退自在に設けられ先端に挟み部材４２が固定された棒状部材４３ａと、棒状部材４３ａをその側方から押圧して任意の位置で固定させるネジ等の棒固定部材とで構成される。引っ掛け部４の材料は樹脂又は金属等である。
【００１８】
また、回路収納部４１は、面状光源２の背面上端部に一端が固定されたワイヤを収納しており、さらに、そのワイヤの一部又は全部を引き出した状態で係止させるブレーキ機構と、引き出されたワイヤを巻き取るワイヤ巻き取り機構とを収納している。
【００１９】
図２は、上述のワイヤの一部を回路収納部４１から引き出した状態を示す。面状光源２は、そのワイヤ４５が引き出されると、その下端を軸として自重により回動して前傾し、ワイヤ４５により引っ張られてその前傾姿勢が保持される。
【００２０】
図３は、面状照明器具１の使用例を示す。面状照明器具１は、図示のようなベッドのヘッドボード、又はオフィス等で使用されるパーティション等の器具取付対象５に取り付けられる。器具取付時には、回路収納部４１と挟み部材４２とが器具取付対象５の上端にその上方から引っ掛けられ、支持部材３（同図では不図示）と挟み部材４２とは器具取付対象５を挟み、面状照明器具１は器具取付対象５に掛止される。引っ掛け前又は後に、器具取付対象５の上端の厚みに合わせて支持部材３（同図では不図示）と挟み部材４２との間の幅は幅調整機構４３により調整されることが望ましい。
【００２１】
上記の構成を有する面状照明器具１においては、面状光源２の発光面２１の水平方向の長さは略６００ｍｍ以上であり、人間の平均的な肩幅以上であるので、手元を照明する際には、照明対象から見た発光面の立体角を大きくすることができ、従って、その大きい立体角の下で照明対象を照明することができる。このため、手等の影が被照明面に映り難く、いわゆる手暗がりが生じ難い。また、器具をベッドのヘッドボードに取り付け、寝た状態で読書を行い、その手元を照明する場合、左右に寝返りをうって体勢を変えても手又は頭等の影が生じ難い。
【００２２】
また、器具取付対象５の上端に引っ掛け部４を引っ掛けるだけで、器具を固定することができるので、従来とは異なり、器具を固定するスタンドの基盤が場所を取ることはない。従って、照明する作業の邪魔となり難い。
【００２３】
また、面状光源２を俯角方向に回動させることができるので、照明方向を任意に変えることができ、照明対象に効率良く照明することができる。さらに、幅調整機構４３により支持部材３と挟み部材４２との間の幅を器具取付対象の上端部の厚みに対応して調整することができるので、器具取付対象の厚みに拘らず器具を固定して安定させることができる。
【００２４】
（第２の実施形態）
図４（ａ）（ｂ）は、本発明の第２の実施形態に係る面状照明器具を示す。本実施形態に係る面状照明器具１は、第１の実施形態と比べ、面状光源２の両側縁部２３、２４に１つずつ連結された別の面状光源６、７と、人検知センサ２５、６１、７１（人検知手段）とをさらに備える。同図（ａ）（ｂ）においては面状光源６、７の位置が異なる
【００２５】
面状光源６の側縁部６２は面状光源２の一方の側縁部２３と回動自在に連結され、面状光源７の側縁部７２は面状光源２の他方の側縁部２４と回動自在に連結されている。面状光源２は本実施形態においても前傾方向に回動可能に構成されており、面状光源６、７の回動のし易さは、面状光源２の前傾時に、面状光源６、７が自重で自然に回動しない程度であることが望ましい。
【００２６】
人検知センサ２５、６１、７１は、面状光源２、６、７の各々に対応して、それらの前面下端部２６、６３、７３に１個ずつ取り付けられている。人検知センサ２５、６１、７１は焦電型赤外線センサ又は超音波センサ等で構成され、その検知範囲はセンサの略正面である。
【００２７】
図５（ａ）（ｂ）は、ワイヤ４５の一部を回路収納部４１から引き出した状態を示す。本実施形態においても、ワイヤ４５が引き出されると、面状光源２、６、７は面状光源２の下端を軸として自重により回動して前傾し、ワイヤ４５により引っ張られてその前傾姿勢が保持される。
【００２８】
図６は、本実施形態の面状照明器具１の電気的構成を示す。面状照明器具１は、人検知センサ２５、６１、７１による検知結果に基づき、面状光源２、６、７を個々に制御する点灯制御部９を備える。点灯制御部９はマイクロプロセッサ等で構成することができ、このマイクロプロセッサは、人検知センサ２５、６１、７１により人が検知されない間、その人検知センサ２５、６１、７１に対応する面状光源２、６、７を自動的に消灯又は減光させる。
【００２９】
本実施形態においては、上記第１の実施形態と比べて面状光源２の両端に別の面状光源６、７が連結されて発光面が横に広がるので、手元を照明する際に、照明対象から見た発光面の立体角をより大きくすることができる。また、両端の面状光源６、７を回動させてそれらの向きを内向きにすることで、上述の立体角をさらに大きくすることができる。従って、より大きい立体角の下で照明対象を照明することができる。このため、手等の影が被照明面により映り難い。
【００３０】
また、面状光源２、６、７はそれぞれ、人検知センサ２５、６１、７１がその近傍に人の存在を検知しない間、消灯又は減光されるので、省エネルギ化を図ることができる。
【００３１】
また、面状光源６、７を内向きに回動させて固定することで、それらが面状光源２、６、７による照明光に対して遮光板又は反射板となるので、周辺への光漏れ量を減らすことができ、周辺への不要な光照射を防ぐことができる。
【００３２】
（第３の実施形態）
図７は、本発明の第３の実施形態に係る面状照明器具１の電気的構成を示す。本実施形態に係る面状照明器具１は、現在時刻を計測するタイマ１０をさらに備える。点灯制御部９は、面状光源２、６、７の通常の照度を例えば略７５０［ｌｘ］とし、タイマ１０により計測される現在時刻に応じて、面状光源２、６、７による照明光の光色又は照度を変化させる。この変化により、照明光は、朝から昼までは白色光、又は青色成分の多い５０００〜１００００［Ｋ］の色温度の光とされ、夜は２０００〜３５００［Ｋ］の色温度の光において波長が略４６４［ｎｍ］近傍の光を全く又は殆んど含まない光とされる。また、点灯制御部９は、例えば午後１時から略１時間程度、照明光の照度が略１５００〜２５００［ｌｘ］となるように面状光源２、６、７を調光制御する。照明光の光色又は照度は、ボタン等の操作部をユーザが操作することで点灯制御部９に対して設定可能であることが望ましい。
【００３３】
ところで、人間は、サーカディアンリズムと言われる略１日周期の生体リズムを持っており、そのリズムはメラトニンというホルモンの一日の分泌リズムと緊密に関係している。メラトニンの分泌は光によって抑制されることが知られており、朝及び昼は光を浴びる量が多いのでメラトニンの分泌が抑制されて、生体リズムが覚醒及び活性の方向へ向かう。夜は光を浴びる量が減り、メラトニンが多く分泌されて生体リズムは睡眠へと向かう。このため、夜間に強い光を浴びるとメラトニンの分泌が抑制し続けられ、生体リズムが乱れる。また、メラトニンの分泌は、波長が略４６４［ｎｍ］近傍の青色光を浴びることで著しく抑制されることが知られている。
【００３４】
従って、本実施形態においては、サーカディアンリズムに合わせて、朝から昼までは照明光は白色光、又は青色成分の多い５０００〜１００００［Ｋ］の色温度の光とされるので、照明によりメラトニンの分泌を抑え、覚醒刺激を与えることができる。また、夜の照明光は、メラトニン分泌を著しく抑える青色光を全く又は殆んど含まないので、例えば夜の読書の際に器具が用いられたとしても、覚醒刺激を与えることなく照明して快適な睡眠の妨げとならないようにしたりできる。また、午後１時から略１時間程度、通常よりも増えて照明光の照度が略１５００〜２５００［ｌｘ］となるので、昼食後の眠気を抑えることができる。
【００３５】
なお、本発明は、上記第１乃至第３の実施形態の構成に限定されるものでなく、使用目的に応じ、様々な変形が可能である。例えば、面状光源２の発光面２１の水平方向の長さＬ１は上記に限定されず、人間の平均的な肩幅以上であればよい。
【図面の簡単な説明】
【００３６】
【図１】（ａ）は本発明の第１の実施形態に係る面状照明器具を斜め前方から見たときの斜視図、（ｂ）は同面状照明器具を斜め後方から見たときの斜視図、（ｃ）は同面状照明器具の断面図。
【図２】上記面状照明器具においてワイヤを引き出したときの縦断面図。
【図３】上記面状照明器具の使用例を示す斜視図。
【図４】（ａ）は本発明の第２の実施形態に係る面状照明器具の斜視図、（ｂ）は同面状照明器具において両端の面状光源を前方に回動させたときの斜視図。
【図５】（ａ）は上記面状照明器具を前傾させたときの斜視図、（ｂ）はそのときの側面図。
【図６】上記面状照明器具の電気的ブロック図。
【図７】本発明の第３の実施形態に係る面状照明器具の電気的ブロック図。
【符号の説明】
【００３７】
１  面状照明器具
２、６、７  面状光源
２５、６１、７１  人検知センサ（人検知手段）
３  支持部材
４  引っ掛け部
１０  タイマ
Ｌ１  発光面の水平方向の長さ
【図１】
2009266579.tif 000003
【図２】
2009266579.tif 000004
【図３】
2009266579.tif 000005
【図４】
2009266579.tif 000006
【図５】
2009266579.tif 000007
【図６】
2009266579.tif 000008
【図７】
2009266579.tif 000009